(57)【要約】【課題】過去の経緯を把握しやすいように電子メールの画像を形成する画像形成装置を提供する。【解決手段】画像形成装置１は、複数のメッセージを含む電子メールの画像をシートに形成する。画像形成装置１は、メッセージ検出部１２と、画像データ生成部１３と、記憶領域１１１と、画像形成部３０とを備える。メッセージ検出１２は、複数のメッセージの各々の範囲を検出する。画像データ生成部１３は、メッセージ検出部１２によって検出された範囲に基づいて、複数のメッセージの中からメッセージを順次抽出して画像データを生成する。記憶領域１１１には、画像データが格納される。画像データ生成部１３は、古いメッセージから順に複数のメッセージの画像データを記憶領域１１１に格納する。画像形成部３０は、記憶領域１１１に格納された画像データに基づいて、複数のメッセージの画像を含む電子メールの画像をシートに形成する。【選択図】図２
2016224648.tif 000002
【特許請求の範囲】
【請求項１】
複数のメッセージを含む電子メールの画像をシートに形成する画像形成装置であって、
前記複数のメッセージの各々の範囲を検出するメッセージ検出部と、
前記メッセージ検出部によって検出された前記範囲に基づいて、前記複数のメッセージの中から前記メッセージを順次抽出して画像データを生成する画像データ生成部と、
前記画像データが格納される記憶領域と、
前記記憶領域に格納された前記画像データに基づいて、前記複数のメッセージの画像を含む前記電子メールの画像を前記シートに形成する画像形成部と
を備え、
前記画像データ生成部は、古い前記メッセージから順に前記複数のメッセージの画像データを前記記憶領域に格納する、画像形成装置。
【請求項２】
外部装置から送信された前記電子メールの情報が入力される通信部を更に備え、
前記画像データ生成部は、前記通信部に入力された前記電子メールの情報に含まれる前記複数のメッセージの順序とは逆の順序で前記複数のメッセージの画像データを前記記憶領域に格納する、請求項１に記載の画像形成装置。
【請求項３】
前記メッセージは、前記メッセージが送信された送信日時又は前記メッセージを受信した受信日時の情報を含み、
前記画像データ生成部は、前記送信日時又は前記受信日時が古い前記メッセージから順に前記複数のメッセージの画像データを前記記憶領域に格納する、請求項１又は請求項２に記載の画像形成装置。
【請求項４】
前記画像データ生成部は、前記メッセージの属性情報に基づいて前記複数のメッセージを分類して前記メッセージの画像データを前記記憶領域に格納する、請求項１〜請求項３のいずれか１項に記載の画像形成装置。
【請求項５】
前記メッセージの属性情報は、メール送信者情報又はメール受信者情報を含み、
前記画像データ生成部は、前記メール送信者情報又は前記メール受信者情報ごとに、前記メッセージを分類する、請求項４に記載の画像形成装置。
【発明の詳細な説明】
【技術分野】
【０００１】
本発明は、画像形成装置に関する。
【背景技術】
【０００２】
電子メールは、コミュニケーションツールとして多くのユーザーに利用されている。ユーザーは、電子メールを作成する際に、過去に送受信したメッセージを引用することができる。これにより、今回作成したメッセージに加え、過去に送受信したメッセージが付加された電子メールを作成することができる。このような複数のメッセージ（引用したメッセージ及び今回作成されたメッセージ）を含む電子メールの画像が印刷されると、新しいメッセージから順にメッセージの画像がシートに形成される（例えば、特許文献１参照）。
【先行技術文献】
【特許文献】
【０００３】
【特許文献１】特開２０１３−３９８９号公報
【発明の概要】
【発明が解決しようとする課題】
【０００４】
しかしながら、新しいメッセージから順にメッセージの画像がシートに形成されると、過去の経緯を把握したいユーザーは、メッセージの画像が形成された順序とは逆の順序でメッセージを読まなければならない。この結果、過去の経緯が把握しにくくなるという課題があった。
【０００５】
本発明は、上記課題に鑑み、過去の経緯を把握しやすいように電子メールの画像を形成する画像形成装置を提供することを目的とする。
【課題を解決するための手段】
【０００６】
本発明の画像形成装置は、複数のメッセージを含む電子メールの画像をシートに形成する。当該画像形成装置は、メッセージ検出部と、画像データ生成部と、記憶領域と、画像形成部とを備える。前記メッセージ検出は、前記複数のメッセージの各々の範囲を検出する。前記画像データ生成部は、前記メッセージ検出部によって検出された前記範囲に基づいて、前記複数のメッセージの中から前記メッセージを順次抽出して画像データを生成する。前記記憶領域には、前記画像データが格納される。前記画像形成部は、前記記憶領域に格納された前記画像データに基づいて、前記複数のメッセージの画像を含む前記電子メールの画像を前記シートに形成する。前記画像データ生成部は、古い前記メッセージから順に前記複数のメッセージの画像データを前記記憶領域に格納する。
【発明の効果】
【０００７】
本発明によれば、過去の経緯を把握しやすいように電子メールの画像を形成することができる。
【図面の簡単な説明】
【０００８】
【図１】本発明の実施形態に係る画像形成装置を示す図である。
【図２】本発明の実施形態に係る画像形成装置を示すブロック図である。
【図３】本発明の実施形態１に係る第１の画像形成モードが選択された場合に形成される電子メール画像の一例を示す図である。
【図４】本発明の実施形態１に係る第２の画像形成モードが選択された場合に形成される電子メール画像の一例を示す図である。
【図５】本発明の実施形態１に係る文字列データの一部を示す図である。
【図６】本発明の実施形態１に係る画像形成装置の動作を示すフローチャートである。
【図７】本発明の実施形態２に係る第１の画像形成モードが選択された場合に形成される電子メール画像の一例を示す図である。
【図８】本発明の実施形態２に係る第３の画像形成モードが選択された場合に形成される電子メール画像の一例を示す図である。
【図９】本発明の実施形態２に係る画像形成装置の動作を示すフローチャートである。
【発明を実施するための形態】
【０００９】
以下、図面を参照して本発明の実施形態に係る画像形成装置について説明する。なお、図中、同一又は相当部分については同一の参照符号を付して説明を繰り返さない。
【００１０】
［実施形態１］
まず、図１を参照して、画像形成装置１について説明する。図１は、画像形成装置１を示す図である。本実施形態において、画像形成装置１は、電子写真方式の複合機である。
【００１１】
図１に示すように、画像形成装置１は、搬送部Ｌ、制御部１０、給紙部２０、画像形成部３０、定着部４０、及び排出部５０を備える。
【００１２】
制御部１０は、例えば、ＣＰＵ（Ｃｅｎｔｒａｌ  Ｐｒｏｃｅｓｓｉｎｇ  Ｕｎｉｔ）、及びＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）等によって構成される。制御部１０は、画像形成装置１の各部の動作を制御する。
【００１３】
搬送部Ｌは、シートＳを給紙部２０から排出部５０まで搬送する。
【００１４】
給紙部２０は、給紙カセット２１、及び給紙ローラー群２２を備える。給紙カセット２１は、複数枚のシートＳを収容可能である。給紙ローラー群２２は、給紙カセット２１に収容されているシートＳを１枚ずつ搬送部Ｌへ給紙する。
【００１５】
画像形成部３０は、画像データに基づいてシートＳに画像を形成する。本実施形態において、画像形成部３０は、露光装置３１、現像装置３２、感光体ドラム３３、及び転写装置３４を備える。露光装置３１は、画像データに基づいて感光体ドラム３３を照射して静電潜像を形成する。現像装置３２は、感光体ドラム３３にトナーを供給して、感光体ドラム３３に形成された静電潜像を現像してトナー像を形成する。
【００１６】
転写装置３４は、中間転写ベルト３５を備える。転写装置３４は、感光体ドラム３３に形成されたトナー像を、中間転写ベルト３５を介してシートＳに転写する。トナー像が転写されたシートＳは定着部４０に搬送される。
【００１７】
定着部４０は、加熱部材４１、及び加圧部材４２を備える。定着部４０は、加熱部材４１、及び加圧部材４２によってシートＳを加熱、及び加圧することで、未定着のトナー像をシートＳに定着させる。
【００１８】
排出部５０は、シートＳを装置外に排出する。
【００１９】
続いて、図２を参照して実施形態１に係る画像形成装置１について詳細に説明する。図２は、画像形成装置１を示すブロック図である。
【００２０】
図２に示すように、画像形成装置１は、通信部６０を更に備える。通信部６０は、パーソナルコンピューターのような外部装置とデータの通信を行う。本実施形態において、通信部６０は、外部装置から印刷要求データを受け付ける。受け付けた印刷要求データは、制御部１０に送信される。印刷要求データには、例えば、電子メールの情報、及びユーザーによって選択される画像形成モードの情報が含まれる。以下、電子メールの情報をメール情報と記載する場合がある。メール情報は、メッセージを示す文字列データを含む。また、画像形成モードは、本実施形態において、第１の画像形成モード、及び第１の画像形成モードとは異なる第２の画像形成モードを含む。
【００２１】
制御部１０は、記憶部１１、メッセージ検出部１２、及び画像データ生成部１３を備える。
【００２２】
記憶部１１は、プログラム、及び設定情報などを記憶する。記憶部１１は、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）、及びＲＯＭ（Ｒｅａｄ  Ｏｎｌｙ  Ｍｅｍｏｒｙ）によって構成される。制御部１０は、記憶部１１に予め記憶された制御プログラムを実行することによって画像形成装置１の各部の動作を制御する。本実施形態において、記憶部１１は、外部装置から送信された印刷要求データを記憶する。また、記憶部１１は、画像データを記憶する記憶領域の一例であるページメモリー１１１を備える。
【００２３】
メッセージ検出部１２は、通信部６０を介して入力された複数のメッセージを含むメール情報（文字列データ）を制御部１０が受け付けると、文字列データにおける複数のメッセージの各々の範囲を検出する。詳しくは、メッセージ検出部１２は、複数のメッセージにそれぞれ含まれるヘッダーの先頭を検出することによって複数のメッセージの各々の範囲を検出する。本実施形態において、メッセージ検出部１２は、各ヘッダーの先頭文字を検出することによって、各メッセージの先頭及び末尾を検出する。これにより、複数のメッセージの各々の範囲が検出される。
【００２４】
画像データ生成部１３は、メッセージ検出部１２によって検出された各メッセージの範囲に基づいて各メッセージを順次抽出して画像データを生成する。本実施形態では、画像データ生成部１３は、通信部６０を介して入力された文字列データにおける複数のメッセージの順序とは逆の順序で各メッセージを抽出して画像データを生成する。そして、画像データ生成部１３は、抽出した順序で各メッセージの画像データをページメモリー１１１に格納する。画像形成部３０は、ページメモリー１１１に格納された画像データに基づいて画像をシートＳに形成する。この結果、ページメモリー１１１に格納された順序で各メッセージの画像がシートＳに形成される。
【００２５】
続いて、図３、図４及び図５を参照して、実施形態１に係るメッセージ検出部１２による処理、及び画像データ生成部１３による処理について説明する。図３は、第１の画像形成モードが選択された場合に形成される電子メールの画像Ｍ１（以下、電子メールの画像を電子メール画像と記載する）の一例を示す図である。図４は、第２の画像形成モードが選択された場合に形成される電子メール画像Ｍ１ａの一例を示す図である。第１の画像形成モードは、通信部６０を介して入力された文字列データにおける複数のメッセージの順序と同じ順序で複数のメッセージの画像を形成するモードである。第２の画像形成モードは、複数のメッセージの順序を入れ替えるモードである。図５は、実施形態１に係る文字列データＭＴの一部を示す図である。図３に示す電子メール画像Ｍ１、及び図４に示す電子メール画像Ｍ１ａは、２枚のシートＳに亘って形成される。
【００２６】
第１の画像形成モードが選択された場合、図３に示すように、複数のメッセージＭ１１〜Ｍ１５の画像は、メッセージＭ１１、Ｍ１２、Ｍ１３、Ｍ１４、及びＭ１５の順にシートＳに形成される。メッセージＭ１１〜Ｍ１５の画像は、ヘッダーＨ１１〜Ｈ１５の画像をそれぞれ含む。ヘッダーＨ１１〜Ｈ１５の画像は、「Ｆｒｏｍ：」、「Ｓｅｎｔ：」、「Ｔｏ：」、及び「Ｓｕｂｊｅｃｔ：」の画像をそれぞれ含む。また、ヘッダーＨ１１〜Ｈ１５の画像には、「Ｃｃ：」の画像が含まれることがある。
【００２７】
第２の画像形成モードが選択された場合、図４に示すように、メッセージＭ１５、Ｍ１４、Ｍ１３、Ｍ１２及びＭ１１の順に複数のメッセージＭ１１〜Ｍ１５の画像がシートＳに形成される。詳しくは、第２の画像形成モードが選択されると、メッセージ検出部１２は、複数のメッセージにそれぞれ含まれるヘッダーの先頭を検出することによって複数のメッセージの各々の範囲を検出する。本実施形態において、メッセージ検出部１２は、通信部６０を介して入力された文字列データにおける複数のメッセージの順序とは逆の順序で各メッセージの範囲を検出する。図４に示す例では、メッセージ検出部１２は、メッセージＭ１１、Ｍ１２、Ｍ１３、Ｍ１４、及びＭ１５とは逆の順序（メッセージＭ１５、Ｍ１４、Ｍ１３、Ｍ１２、及びＭ１１の順序）でメッセージＭ１１〜Ｍ１５の範囲を順次検出する。
【００２８】
詳しくは、先ず、メッセージ検出部１２は、メール情報に含まれる文字列データの末尾文字Ｅ１５「句点」を検出する。これにより、メッセージＭ１５の末尾が検出される。そして、メッセージ検出部１２は、ヘッダーＨ１５の先頭文字Ｆ１５を検出する。詳しくは、メッセージ検出部１２は、先頭文字Ｆ１５として「Ｆｒｏｍ：」の「Ｆ」を検出する。これによりメッセージＭ１５の先頭が検出される。したがって、末尾文字Ｅ１５から先頭文字Ｆ１５までの範囲がメッセージＭ１５の範囲として検出される。
【００２９】
メッセージ検出部１２がメッセージＭ１５の範囲を検出すると、画像データ生成部１３は、メッセージＭ１５の画像データを生成する。詳しくは、画像データ生成部１３は、メッセージ検出部１２が検出した範囲に基づいて文字列データからメッセージＭ１５のデータを抽出する。そして、メッセージＭ１５のデータを画像データに変換してページメモリー１１１に格納する。
【００３０】
メッセージＭ１５の画像データが画像データ生成部１３によってページメモリー１１１に格納されると、メッセージ検出部１２は、メッセージＭ１５と同様に、メッセージＭ１４の範囲を検出する。詳しくは、メッセージ検出部１２は、図５に示すように、メッセージＭ１５の先頭文字Ｆ１５を検出すると、検出方向Ｄ１における先頭文字Ｆ１５の次の文字をメッセージＭ１４の末尾文字Ｅ１４として検出する。次に、メッセージＭ１５と同様にして、メッセージ検出部１２は、メッセージＭ１４の先頭文字Ｆ１４として、「Ｆｒｏｍ：」の「Ｆ」を検出する。そして、画像データ生成部１３は、メッセージＭ１４のデータを画像データに変換して、ページメモリー１１１に格納する。以降、同様にして、メッセージＭ１３、メッセージＭ１２、及びメッセージＭ１１の画像データが生成されてページメモリー１１１に格納される。
【００３１】
すべてのメッセージＭ１１〜Ｍ１５の画像データがページメモリー１１１に格納されると、画像形成部３０は、ページメモリー１１１に格納された画像データに基づいてシートＳに画像を形成する。この結果、図４に示すように、電子メール画像Ｍ１ａに含まれる複数のメッセージＭ１１〜Ｍ１５の配列が図３に示す電子メール画像Ｍ１に含まれる複数のメッセージＭ１１〜Ｍ１５とは逆の配列になる。
【００３２】
次に、図１、図２及び図６を参照して実施形態１に係る画像形成装置１の動作について説明する。図６は、実施形態１に係る画像形成装置１の動作を示すフローチャートである。詳しくは、図６は第２の画像形成モードに従う画像形成装置１の動作を示すフローチャートである。
【００３３】
図６に示すように、通信部６０を介して複数のメッセージを含むメール情報（文字列データ）が入力されると（ステップＳ１０２）、メッセージ検出部１２は、複数のメッセージのうちの１つのメッセージの範囲を検出する（ステップＳ１０４）。本実施形態では、メッセージ検出部１２は、文字列データにおけるメッセージの順序とは逆の順序でメッセージの範囲を検出する。メッセージ検出部１２によりメッセージの範囲が検出されると、画像データ生成部１３は、検出されたメッセージの範囲に基づいて複数のメッセージのうちの１つのメッセージを抽出して画像データを生成する（ステップＳ１０６）。そして、画像データ生成部１３は、生成した画像データをページメモリー１１１に格納する（ステップＳ１０８）。次に、画像データ生成部１３は、文字列データにおけるすべてのメッセージの画像データがページメモリー１１１に格納されたか否かを判定する（ステップＳ１１０）。すべてのメッセージの画像データがページメモリー１１１に格納されていないと画像データ生成部１３が判定した場合（ステップＳ１１０：Ｎｏ）、処理はステップＳ１０４へ戻る。一方、すべてのメッセージの画像データがページメモリー１１１に格納されたと画像データ生成部１３が判定した場合（ステップＳ１１０：Ｙｅｓ）、画像形成部３０は、ページメモリー１１１に格納された画像データに基づいてシートＳに画像を形成する（ステップＳ１１２）。
【００３４】
以上、実施形態１について説明した。本実施形態によれば、古いメッセージの画像から順にシートＳに画像が形成される。このため、ユーザーは、シートＳに形成された画像の順に沿ってメッセージを読むことによって過去の経緯を把握することができる。したがって、過去の経緯の把握が容易になる。
【００３５】
［実施形態２］
続いて、図１、図２、及び図７〜図９を参照して、実施形態２について実施形態１と異なる事項について説明する。実施形態２では、メッセージ検出部１２による処理、及び画像データ生成部１３による処理が実施形態１と異なる。
【００３６】
本実施形態において、図２に示すメッセージ検出部１２は、メッセージの範囲を検出するとともにメッセージの属性情報を検出する。メッセージの属性情報は、各メッセージにそれぞれ含まれる。メッセージ検出部１２によって検出されるメッセージの属性情報は、例えば、メール送信者の情報である。メッセージ検出部１２によって検出される属性情報は、ユーザーによって設定され得る。なお、メッセージの範囲の検出処理は、実施形態１と同様であるため、その説明は割愛する。
【００３７】
画像データ生成部１３は、メッセージの属性情報に基づいて複数のメッセージを分類してページメモリー１１１に格納する。この結果、複数のメッセージの画像が各メッセージの属性情報ごとに分類されてシートＳに形成される。
【００３８】
続いて、図７及び図８を参照して、実施形態２に係るメッセージ検出部１２による処理及び画像データ生成部１３による処理について詳細に説明する。図７は、実施形態２に係る第１の画像形成モードが選択された場合に形成される電子メール画像Ｍ２の一例を示す図である。図８は、実施形態２に係る第３の画像形成モードが選択された場合に形成される電子メール画像Ｍ２ａの一例を示す図である。詳しくは、図８は、メッセージ検出部１２がメッセージの属性情報としてメール送信者情報を検出した場合に形成される電子メール画像Ｍ２ａを示す。
【００３９】
第１の画像形成モードが選択された場合、図７に示すように、複数のメッセージＭ２１〜Ｍ２５の画像は、メッセージＭ２１、Ｍ２２、Ｍ２３、Ｍ２４、及びＭ２５の順にシートＳに形成される。メッセージＭ２１〜Ｍ２５の画像は、ヘッダーＨ２１〜Ｈ２５の画像をそれぞれ含む。なお、図７に示すように、ヘッダーＨ２１〜Ｈ２５はメール送信者情報を含む。メール送信者情報は、文字列「Ｆｒｏｍ：」に続く文字列である。
【００４０】
第３の画像形成モードが選択された場合、図８に示すように、メッセージＭ２１、Ｍ２２、Ｍ２５の画像がシートＳの右側に形成され、メッセージＭ２３、Ｍ２４の画像がシートＳの左側に形成される。
【００４１】
詳しくは、まず、メッセージ検出部１２がメッセージＭ２５の範囲を検出する。次いで、メッセージ検出部１２は、メッセージＭ２５のメール送信者情報Ｇ２５として文字列「Ｆｒｏｍ：」に続く文字列を検出する。図８に示す例では、メール送信者情報Ｇ２５として「Ａ」が検出される。次にメッセージＭ２５と同様に、メッセージ検出部１２は、メッセージＭ２４の範囲を検出するとともに、メール送信者情報Ｇ２４として文字列「Ｆｒｏｍ：」に続く文字列を検出する。図８に示す例では、メール送信者情報Ｇ２４として「Ｂ」が検出される。以降同様に、メッセージ検出部１２は、メッセージＭ２３〜Ｍ２１の範囲を検出するとともに、メール送信者情報Ｇ２３〜Ｇ２１を検出する。図８に示す例では、メール送信者情報Ｇ２１、及びメール送信者情報Ｇ２２は、「Ａ」である。また、メール送信者情報Ｇ２３は、「Ｂ」である。
【００４２】
メッセージＭ２１〜Ｍ２５の範囲、及びメール送信者情報Ｇ２１〜Ｇ２５が検出された後、画像データ生成部１３は、古いものから順にメッセージを抽出して画像データを生成する。また、画像データ生成部１３は、生成した順に画像データをメール送信者情報に基づいて分類しながら、ページメモリー１１１に格納する。この結果、各メッセージの画像は、各メッセージの抽出順にページメモリー１１１に格納される。また、各メッセージの画像は、メール送信者情報に基づいて分類されて、ページメモリー１１１に格納される。
【００４３】
図８に示す例では、画像データ生成部１３は、メッセージＭ２１、Ｍ２２、及びＭ２５の画像データをメール送信者情報「Ａ」のグループに分類してページメモリー１１１に格納する。また、画像データ生成部１３は、メッセージＭ２２、Ｍ２４の画像データを、メール送信者情報「Ｂ」のグループに分類してページメモリー１１１に格納する。詳しくは、画像データ生成部１３は、メッセージＭ２５、Ｍ２２、及びＭ２１の順でページメモリー１１１の右側にメッセージＭ２５、Ｍ２２、及びＭ２１の画像データを格納し、メッセージＭ２４、及びＭ２３の順で、メッセージＭ２４、及びＭ２３の画像データをページメモリー１１１の左側に格納する。
【００４４】
次に、図９を参照して、実施形態２に係る画像形成装置１の動作について説明する。図９は、実施形態２に係る画像形成装置１の動作を示すフローチャートである。詳しくは、図９は、第３の画像形成モードに従う画像形成装置１の動作を示すフローチャートである。図９に示すフローチャートは、図６に示すフローチャートと比べて、ステップＳ１０４とステップＳ１０６との間にステップＳ２０２及びステップＳ２０４が追加される。また、実施形態１で説明したステップＳ１０８に替えてステップＳ２０６が実行される。
【００４５】
図９に示すように、メッセージ検出部１２は、複数のメッセージのうちの１つのメッセージの範囲を検出した後（ステップＳ１０４）、そのメッセージの属性情報を検出する（ステップＳ２０２）。次に、メッセージ検出部１２は、すべてのメッセージの範囲及び属性情報を検出した否かを判定する（ステップＳ２０４）。なお、メッセージ検出部１２は、文字列データにおけるメッセージの順序とは逆の順序でメッセージの範囲及び属性情報を検出する。すべてのメッセージの範囲及び属性情報を検出していないとメッセージ検出部１２が判定すると（ステップＳ２０４：Ｎｏ）、処理は、ステップＳ１０４に戻る。一方、すべてのメッセージの範囲及び属性情報を検出したとメッセージ検出部１２が判定すると（ステップＳ２０４：Ｙｅｓ）、画像データ生成部１３は、検出された各メッセージの範囲に基づいて複数のメッセージのうちの１つのメッセージを抽出して画像データを生成する（ステップＳ１０６）。次に、画像データ生成部１３は、生成した画像データをメッセージの属性情報に基づいて分類してページメモリー１１１に格納する（ステップＳ２０６）。本実施形態では、画像データ生成部１３は、文字列データにおけるメッセージの順序とは逆の順序でメッセージを抽出して画像データを生成する。以降、実施形態１と同様の処理（ステップＳ１１０、ステップＳ１１２）が実行される。
【００４６】
以上、実施形態２について説明した。本実施形態によれば、複数のメッセージの画像は、メール送信者毎に分類されてシートＳに形成される。このため、ユーザーは各メール送信者間の電子メールのやり取りを把握することができる。したがって、過去の経緯を把握できる。
【００４７】
なお、本実施形態では、画像データ生成部１３が生成した画像データを、メール送信者情報に基づいて分類しながらページメモリー１１１に格納する場合を例に説明したが、本発明はこれに限定されない。例えば、画像データ生成部１３は、複数のメッセージをメール送信者情報に基づいて分類した後にメール送信者情報ごとに古いメッセージを順次抽出して画像データを生成してもよい。
【００４８】
また、本実施形態では、画像データ生成部１３は、メール送信者情報に基づいて複数のメッセージを分類したが、本発明はこれに限定されない。例えば、画像データ生成部１３は、メール送信者情報に替えてメール受信者情報に基づいて複数のメッセージを分類してもよい。この場合、メッセージ検出部１２は、各メッセージに含まれるメール受信者情報として「Ｔｏ：」に続く文字列を検出する。
【００４９】
以上、本発明の実施形態について、図面（図１〜図９）を参照しながら説明した。但し、本発明は、上記の実施形態に限られるものではなく、その要旨を逸脱しない範囲で種々の態様において実施することが可能である。
【００５０】
例えば、本発明の実施形態では、本発明が電子写真方式の画像形成装置に適用される場合を例に説明したが、本発明はこれに限定されない。例えば、本発明は、インクジェット方式の画像形成装置にも適用可能である。
【００５１】
また、本発明の実施形態では、通信部６０を介して入力された順序とは逆の順序で各メッセージを抽出することによって電子メール画像を形成したが、本発明はこれに限定されない。例えば、画像データ生成部１３は、各メッセージのヘッダーに含まれる送信日時の情報に基づいて、送信日時の古いメッセージの画像データから順にページメモリー１１１に格納してもよい。この場合、送信日時の情報は、ヘッダーに含まれる「Ｓｅｎｔ：」に続く文字列によって示される。なお、画像データ生成部１３は、送信日時の情報に替えて受信日時の情報に基づいて、受信日時の古いメッセージの画像データから順にページメモリー１１１に格納してもよい。この場合、受信日時の情報は、ヘッダーに含まれる「Ｒｅｃｉｅｖｅ」に続く文字列によって示される。
【産業上の利用可能性】
【００５２】
本発明は、画像形成装置に有用である。
【符号の説明】
【００５３】
１        画像形成装置
１１      記憶部
１１１    ページメモリー
１２      メッセージ検出部
１３      画像データ生成部
３０      画像形成部
【図１】
2016224648.tif 000003
【図２】
2016224648.tif 000004
【図３】
2016224648.tif 000005
【図４】
2016224648.tif 000006
【図５】
2016224648.tif 000007
【図６】
2016224648.tif 000008
【図７】
2016224648.tif 000009
【図８】
2016224648.tif 000010
【図９】
2016224648.tif 000011